(57)【要約】      （修正有） 【課題】口腔内を照射可能なライトであって、使用後にライトに付着した唾液等の体液による交換に際して、唾液等の付着した部分のみを簡単に交換でき、その取り扱いが容易であると共に消毒時においても機器自体を消毒する必要を排除し、かつ必要最小限の範囲のみを消毒すればよく、更には消毒すべきものに関しても消毒の容易なものにすることによって、使い勝手の良くかつ安全性の高い口腔用ライトを提供する。【解決手段】把持部とライト部を有する口腔用ライトのライト部を光透過性のライトカバーにより覆うと共にライトカバーが口腔用ライトの本体から着脱自在とした口腔用ライト。【選択図】図１
0003112192.tif 000002
【実用新案登録請求の範囲】
【請求項１】
把持部１１とライト部１２を有する口腔用ライトであって、
少なくとも該口腔用ライトのライト部１２は光透過性のライトカバー２により覆うものであり、
該ライトカバー２が口腔用ライトの本体１から着脱自在であることを特徴とする口腔用ライト。
【請求項２】
把持部１１とライト部１２を有する略円筒形状の口腔用ライトであって、
少なくとも該口腔用ライトのライト部１２は光透過性の略筒状のライトカバー２により覆うものであり、
定位置で固定可能な着脱機構により口腔用ライトの本体１から該ライトカバー２を着脱自在に装着できることを特徴とする口腔用ライト。
【請求項３】
把持部１１とライト部１２とをアーム部１５で連設し、該アーム部１５によって把持部１１とライト部１２との間隔を自在に調整可能である口腔用ライトであって、
少なくとも該口腔用ライトのライト部１２は光透過性のライトカバー２により覆うものであり、
該ライトカバー２は口腔用ライトの本体１から着脱自在であることを特徴とする口腔用ライト。
【請求項４】
把持部１１とライト部１２とをアーム部１５で連設し、該アーム部１５によって把持部１１とライト部１２との間隔を自在に調整可能である略円筒形状の口腔用ライトであって、
少なくとも該口腔用ライトのライト部１２は光透過性の略筒状のライトカバー２により覆うものであり、
定位置で固定可能な着脱機構により口腔用ライトの本体１から該ライトカバー２を着脱自在に装着可能できることを特徴とする口腔用ライト。
【請求項５】
少なくとも装着時にライト部から照射光に接するライトカバー２の部位が光を透過するものであることを特徴とする請求項１乃至４のいずれかに記載の口腔用ライト。
【請求項６】
ライトカバー２のライト部１２から照射される光の透過位置にレンズを配設したことを特徴とする請求項１乃至５のいずれかに記載の口腔用ライト。
【請求項７】
定位置で固定可能な着脱機構は、ライトカバー２の略筒状の内周面の凹部２１と、ライト部１２と把持部１１との間の任意位置の鍔部１３とからなり、
鍔部１３が凹部２１に嵌着することによりライトカバー２を本体１に着脱自在に装着するものであることを特徴とする請求項２又は４のいずれかに記載の口腔用ライト。
【請求項８】
口腔用ライトが小径のペン状ライトであることを特徴とする請求項１乃至７のいずれかに記載の口腔用ライト。
【請求項９】
少なくとも把持部１１とライト部１２を有する口腔用ライトのライト部１２を含む本体１の一部を覆うライトカバー２であって、口腔用ライト本体１と着脱自在に装着できることを特徴とするライトカバー。
【考案の詳細な説明】
【技術分野】
【０００１】
本考案は、診察や治療に際して及び高齢者や要介護者に対しての介護を行うに際して、口腔内の照明を行う口腔用ライト及び口腔用ライトカバーに関し、より具体的には口腔内を照らすべきライトの口腔内に挿入部位及びその周辺部位に、着脱可能なカバーを有する口腔用ライト及び該口腔用ライトに装着する口腔用ライトカバーに関する。
【背景技術】
【０００２】
従来より医療及び歯科医療に際して口腔内の状態を視認しやすくするために口腔内を明るく照らすため各種ライトが用いられてきた。
例えば歯科医療に関しては診療室に備え付けた照明具を用いて行われることが多用されている。
また、一般医療の診察においては、患者の口腔内の状態を視認する際に懐中電灯やペンライトなどを用いて、口腔内を照射して明るく照らして状態を視認するものであった。
更に在宅看護や介護等の多様化に伴い在宅医療或いは介護に際しても持ち運びが便利な小型の懐中電灯やペンライトは口腔内の状態を的確に視認するためにどうしても欠くことのできないものとなっている。
即ち、例えば医療行為として口腔内の状態を見る場合や，歯科医療行為として口腔内の状態を見る場合などにおいて、或いは介護行為に際して、口腔内の状態を把握することが必要であり、懐中電灯やペン状ライトが一般的に用いられてきていると共に例えば在宅などにおいて用いる場合には必需のものとなっている。
この場合、懐中電灯やペンライトは診察時や介護時に口腔内又はこの近辺において用いられるものであり、対象者の唾液などが先端部分に付着しやすいものであった。
したがって、患者或いは被看護者又は被介護者などに対して一度使用し、唾液などの付着した懐中電灯やペンライトは、他の患者或いは被看護者又は被介護者に対して使用する前に他の懐中電灯やペンライトに換えるか或いは唾液などの付着部分近辺を消毒することによって再度使用するものであった。
【考案の開示】
【考案が解決しようとする課題】
【０００３】
以上の様に、懐中電灯やペンライトは診察時や介護時に口腔内又はこの近辺において用いられるものであり、唾液の付着等を考慮し一人に対して使用した場合には他の懐中電灯やペンライトを使用するものである。
この場合、例えば懐中電灯を用いた場合においては、一定以上の太径を有することから口腔の外側から光を照射するものであり、唇部分等により影となる部分が生ずると共に太径であるがゆえに使いづらい点などがあった。
反面、口腔外からの照射であり、口腔から一定程度はなれた位置から光を照射することとなり、唾液等の体液類が懐中電灯に付着しにくい点では有利であった。
この場合、口腔内をよりよく照射し、影などを生じにくい細径のペンライト類は口腔に近づけて使用できると共に口腔内に一部を挿入した状態でも照射を可能とし、きわめて有効に照射できるものである。
しかし、この様に口腔に近づけて或いは口腔内において使用するものであることから、ライト部分や本体部分に唾液等の体液類が付着しやすいものであり、一旦付着した場合又は付着した可能性があった場合には、該ペンライトを交換するか或いはアルコールなどの消毒液で消毒した上で再使用が始めて可能となるものである。
【０００４】
このことは、複数の患者を診療又は診察する場合に限らず、例えば複数の高齢者などの要介護者を介護する場合などにおいて、常に複数又は多数のペンライトを所持しなければならないものであるばかりでなく、ペンライト自体の消毒においてはその都度ペンライト全体を消毒することが必要であり、更には電気機器からなるペンライト等をきわめて頻繁に消毒することとなり機器に悪影響を生じかねない恐れも存在する。
したがって、電気機器からなるペンライト類を多数の患者又は介護者に対して用いた場合において、その使用の都度簡便に消毒をすることができるものであって、更には電気機器に悪影響を与えずかつ、低廉に製造できる何らかの口腔用ライトの提供が望まれていた。
【課題を解決するための手段】
【０００５】
本考案は係る課題を解決するものであり、まず請求項１に係る考案は、把持部とライト部を有する口腔用ライトであって、少なくとも該口腔用ライトのライト部は光透過性のライトカバーにより覆うものであり、該ライトカバーが口腔用ライトの本体から着脱自在である口腔用ライトであり、かかる考案によって前記課題を解決できる。
また、請求項２に係る考案は、把持部とライト部を有する略円筒形状の口腔用ライトであって、少なくとも該口腔用ライトのライト部は光透過性の略筒状のライトカバーにより覆うものであり、定位置で固定可能な着脱機構により口腔用ライトの本体から該ライトカバーを着脱自在に装着できる口腔用ライトであり、かかる考案によっても同様に解決できる。
また、請求項３に係る考案は、把持部とライト部とをアーム部で連設し、該アーム部によって把持部とライト部との間隔を自在に調整可能である口腔用ライトであって、少なくとも該口腔用ライトのライト部は光透過性のライトカバーにより覆うものであり、該ライトカバーは口腔用ライトの本体から着脱自在である口腔用ライトであり、かかる考案でもよい。
【０００６】
或いは、請求項４に係る考案のように把持部とライト部とをアーム部で連設し、該アーム部によって把持部とライト部との間隔を自在に調整可能である略円筒形状の口腔用ライトであって、少なくとも該口腔用ライトのライト部は光透過性の略筒状のライトカバーにより覆うものであり、定位置で固定可能な着脱機構により口腔用ライトの本体から該ライトカバーを着脱自在に装着可能できる口腔用ライトでもよい。
この他、請求項５に係る考案のように、少なくとも装着時にライト部から照射光に接するライトカバーの部位が光を透過するものである口腔用ライトでも、或いは、請求項６に係る考案のように、ライトカバーのライト部から照射される光の透過位置にレンズを配設した口腔用ライトでもよい。
【０００７】
尚、請求項７にかかる考案のように、定位置で固定可能な着脱機構は、ライトカバーの略筒状の内周面の凹部と、ライト部と把持部との間の任意位置の鍔部とからなり、鍔部が凹部に嵌着することによりライトカバーを本体に着脱自在に装着するものであってもよい。
或いは、請求項８に係る考案の様に、口腔用ライトが小径のペン状ライトであってもよい。更に、請求項９に係る考案のように、少なくとも把持部とライト部を有する口腔用ライトのライト部を含む本体の一部を覆うライトカバーであって、口腔用ライト本体と着脱自在に装着できるライトカバーを用いるものであってもよい。
【考案の効果】
【０００８】
口腔内をライトで照射して口腔内を明るくする際にライトに付着した又はその可能性を有した場合にライト自体の消毒ではなくライトカバーのみを取り外して簡単に消毒できることから、多数の人に対して診察や介護をする際にその都度ライトの消毒をしなくてもすむばかりでなく、取り外したライトカバーのみを消毒すればよく使い勝手及び効率のよい使用ができるという大きな効果を有する。
特に、その都度の消毒を行うとするときわめて手間がかかるものであるが、ライトカバーのみを多数用意しておけばよく、単にライトカバーのみの交換によって効率よく多人数の診察や介護ができることとなるという効果を有する。
更にライトカバーのみを消毒すればよいものであって電子機器類を消毒する必要がなくなり、故障の原因等や悪影響等を極力排除できるという効果も有する。
更にライトカバー自体は簡単にかつ低廉で製造できるばかりでなく多数を所持しても嵩張らず持ち運びにも便利であるという効果を有する。
【考案を実施するための最良の形態】
【０００９】
まず、本考案に係る口腔用ライトを図に基づいて説明する。
図１は、本考案に係る口腔用ライトの一例を示す図であり、ペン状ライトの本体１とライト１２を有する先頭部を覆うライトカバー２から構成されているものである。
ペン状ライトに関しては、手で把持するための胴部である把持部１１を有すると共にその一端方向の先端にライト部１２を有している。
したがって、本体の胴部は手で把持しやすい把持部１１からなり、この部分を把持して本体一端に設けられたライト部１２によって一端から光を照射できることとなる。
特にライト部１２に関しては本図に示す一例では小径の略円筒形状の先端部分にライト部１２を有しているものであり、小径であるがゆえに口腔内に挿入しても容易に光の照射を行うことが可能である。
更に胴部の把持部１１とライト部１２の間には鍔部１３を有している。
【００１０】
次にこのようなペンライト本体１にはライト部１２を有する一端方向が、ライトカバー２で覆われているものであり、このライトカバー２は着脱自在に装着されているものである。
このライトカバー２は、ペンライトの一端方向の外形状に沿って空洞部分を有する略円筒形状より構成されており、該ライト部１２を有する一端方向に嵌着しているものである。
この様に構成することによりペンライト使用時においてはライトカバー２を嵌着した状態で使用することにより、口腔に近づき又は口腔内に挿入され或いは口腔内などに触れて唾液等の付着する場所に関してはライトカバー２が接することとなる。
この場合、このライトカバー２を着脱自在に構成していることから、一人の者に対して使用した場合にはこのライトカバー２のみを取り外し、更にライトカバー２のみを消毒することにより簡単に消毒できることとなり、きわめて使い勝手がよい。
【００１１】
更にこのようなライトカバー２を複数用意しておけば、このライトカバー２のみを交換することによって多数の患者或いは介護者に対して一のペンライト本体１のみを持って対処できることとなる。
また、このライトカバー２は単なるカバーであり、その消毒も簡単であるばかりでなくその着脱も容易であってきわめて使い勝手のよいペンライトの提供を可能とする。
尚、本図に示す構成は、ライトカバー２の内部に凹部２１を有しており、該凹部２１は本体１の鍔部１３に嵌め込まれている構成からなる。
この様に構成することにより、該鍔部１３と凹部２１できっちりと定位置で嵌着し、ライトカバー２が使用時に抜け落ちることを防止できる。
更に、例えば鍔部１３及び凹部２１の角部をアール形状に構成することにより、定位置での固定と共にライトカバー２の着脱を容易にできることとなる。
尚、ライトカバー２と本体１とは定位置で固定可能な着脱機構を有しておればよく、本図に示す構成に限定されるものではない。
【００１２】
次に、ライトカバー２に関しては、例えば樹脂により構成されたものが最適であるが、これに限定されるものではない。
また、例えば透明なライトカバー２を用いることによってライト部１２の光を効率的に透過することができるが、その用途等に応じて色彩などを付したものであってもよい。
更に装着時にライト部１２周辺に位置するライトカバー２の部分２２に関しては、例えばレンズ形状に構成し、ライト部から照射された光を収束し、或いは拡散する構成としたものであってもよい。
この様に構成することによって、各種の使用目的に合致した光の照射を可能とする。
図２は、図１に示すライトカバー２付きのペンライトからライトカバー２をはずした状態を示す口腔用ライト本体１の図であり、更に図３はライトカバー２を示す図である。
【００１３】
図１乃至図３に示すペンライト及びライトカバー２に関しては本考案にかかる口腔用ライトの一例であり、この構成に限定されるものではない。
少なくとも口腔を照射可能なライトであって、ライト部付近即ち、該ライト部を含め唾液等の付着の可能性のある部分にライトカバー２を着脱自在に装着可能であればよい。
図４は、口腔用ライトであるペンライトの先端部分が本体内に内在しているアーム部１５を用いて突出された一例を示す図である。
例えばペンライト本体１の把持部１１とライト部１２との間にアーム部１５を有し、該アーム部１５を把持部１１内に収納可能として、アーム部１５の収納又は突出により把持部１１とライト部１２の間隔を自在に調整可能とすることによって、ライト部１２を口腔に近づけやすくできると共に口腔に近づく部分のみライトカバー２で覆いをすることができ、きわめて使い勝手が良いものとなる。
【図面の簡単な説明】
【００１４】
【図１】本考案に係る口腔用ライトの一例を示す図
【図２】本考案に係る口腔用ライトの本体部分の一例を示す図
【図３】本考案に係るライトカバーの一例を示す図
【図４】本考案に係る口腔用ライトの一例を示す図
【符号の説明】
【００１５】
１      本体
１１    把持部
１２    ライト部
１３    鍔部
１５    アーム部
２      ライトカバー
２１    凹部
【図１】
0003112192.tif 000003
【図２】
0003112192.tif 000004
【図３】
0003112192.tif 000005
【図４】
0003112192.tif 000006